(57)【要約】【課題】従来の照明器具は、既存のシャーシを利用して照明器具の更新を行うものではあるが、老朽化した照明器具を新しい同じ反射板に取り替えるものであり、配光特性等の器具特性を変更するものではなかった。【解決手段】端子台、安定器、ソケットを有する既設のシャーシに新規の反射板を取付けた２灯逆富士形照明器具であって、新規の反射板は、既設の反射板と配光特性等の反射板仕様の異なるものであり、また、新規の反射板は既設の反射板と、シャーシ取付け部の逆富士部分の角度、シャーシ取付け治具の種類及び取付治具の取付け位置ピッチにおいて一致するものであり、取付治具により既設のシャーシに取付けられるものである。【選択図】        図１
2004303451.tif 000002
【特許請求の範囲】
【請求項１】
端子台、安定器、ソケットを有する既設のシャーシに新規の反射板を取付けた２灯逆富士形照明器具であって、
前記新規の反射板は、前記既設の反射板と配光特性等の反射板仕様の異なるものであり、
また、前記新規の反射板は既設の反射板と、シャーシ取付け部の逆富士部分の角度、シャーシ取付け治具の種類及び取付治具の取付け位置ピッチにおいて一致するものであり、前記取付治具により前記既設のシャーシに取付けられるものであることを特徴とする２灯逆富士形照明器具。
【請求項２】
端子台、安定器、ソケットを有するシャーシに反射板を取付ける２灯逆富士形照明器具であって、
前記反射板として、配光特性等の反射板仕様は異なるが、シャーシ取付け部の逆富士部分の角度、シャーシ取付け治具の種類及び取付治具の取付け位置ピッチにおいて一致する少なくとも２個の反射板を備え、要求配光特性等により前記シャーシを共通として、選択取付け可能であることを特徴とする２灯逆富士形照明器具。
【請求項３】
新規の反射板が、第１の反射板、第２の反射板、第３の反射板、第４の反射板、第５の反射板及び第６の反射板のいずれかであることを特徴とする請求項１に記載の２灯逆富士形照明器具。
【請求項４】
２個の反射板が、第１の反射板、第２の反射板、第３の反射板、第４の反射板、第５の反射板及び第６の反射板のいずれか２個であることを特徴とする請求項２に記載の２灯逆富士形照明器具。
【発明の詳細な説明】
【０００１】
【発明の属する技術分野】
この発明は、２灯逆富士形照明器具に関し、特に、シャーシに仕様の異なる反射板を取付けることに関するものである。
【０００２】
【従来の技術】
従来の照明器具は、次のようなものであった。
照明器具２１は、天井２に直付けされた既設のシャーシ３及びこのシャーシに支持された既設の安定器９を覆い隠すとともに、ソケット取付け孔２８ａ、２８ｂを有する反射板２２を備えている。反射板２２は、化粧ねじ３４を介してシャーシ３に固定されている。反射板２２のソケット取付け孔にはランプソケット２９が取付けられ、このランプソケットにけい光ランプ３２が装着されている。反射板は、シャーシと向かい合う裏面３６を有し、この裏面にランプ点灯用の安定器３８が設置されている。安定器は既設の安定器を避けた位置において反射板とシャーシとの間に収められている（例えば、特許文献１参照。）。
【０００３】
【特許文献１】
特開２００１−１９５９０３号公報（第６頁〜第１０頁、図１〜図９）
【０００４】
【発明が解決しようとする課題】
特許文献１の照明器具は、既存のシャーシを利用して照明器具の更新を行うものではあるが、老朽化した照明器具を新しい同じ反射板に取り替えるものであり、配光特性等の器具特性を変更するものではなかった。
【０００５】
本発明は、上記状況に鑑みなされたもので、反射板を替えるだけで、配光特性等を容易に変更できる照明器具を提供するものである。
【０００６】
【課題を解決するための手段】
本発明による照明器具は、端子台、安定器、ソケットを有する既設のシャーシに新規の反射板を取付けた２灯逆富士形照明器具であって、新規の反射板は、既設の反射板と配光特性等の反射板仕様の異なるものであり、また、新規の反射板は既設の反射板と、シャーシ取付け部の逆富士部分の角度、シャーシ取付け治具の種類及び取付治具の取付け位置ピッチにおいて一致するものであり、取付治具により既設のシャーシに取付けられるものである。
【０００７】
【発明の実施の形態】
実施の形態１．
以下、本発明の実施の形態１の２灯逆富士形照明器具を図面に基づいて説明する。図１は、本発明の実施の形態１の２灯逆富士形照明器具の基本型である第１の照明器具を示す断面図である。第１の照明器具は、２灯逆富士形照明器具の基本型であり、第１の反射板を使用する。
図において、第１の照明器具は、天井直付けのものであり、シャーシ１が天井２に固定される。シャーシ１は、天井２に沿う上壁１ａと、この上壁１ａの側縁から下向きに延びる一対の側壁１ｂ、１ｂを有し、全体として下向きに開放された細長い箱状をなしている。
【０００８】
また、シャーシ１は、その長手方向両端部にそれぞれ取付けられた一対のソケット取付け金具１ｃ、１ｃを有し、このソケット取付け金具１ｃ、１ｃは、側壁１ｂ、１ｂの下縁部から側方に向けて張り出しており、これらソケット取付け金具１ｃ、１ｃの斜状部にはランプソケット６が斜め下方に突出して取り付けられている。
【０００９】
シャーシ１には、電源用の端子台（図１では、図示を省略するが、図３等に端子台１１として図示する）と点灯装置としての安定器７が取付けられている。端子台及び安定器７は、シャーシ１の上壁１ａの下面に設置されている。
蛍光ランプの光を下向きに反射させる第１の反射板は、シャーシ１の長手方向に沿って延びる細長い形状を有している。この反射板は、２本の蛍光ランプに沿って延びる細長い一対の光反射部３ａ、３ａと、これらの長手方向に沿う両端を閉じる端板部３ｍ、３ｍを有している。光反射部３ａ、３ａは、反射板３の幅方向（短手方向）に沿う中央部を境に逆富士形（Ｖ字状）に折り曲げられている。そのため、光反射部３ａ、３ａは、互いに遠ざかるに従い天井２に近づく方向に傾斜されている。
【００１０】
光反射部３ａ、３ａは、その長手方向に沿う両端部にソケット挿通孔（図１では、図示を省略するが、図３等に挿通孔３ｕとして図示する）を有し、これら挿通孔を通じてランプソケット６が光反射部３ａ、３ａの下方に張り出している。光反射部３ａ、３ａの両端部は、ソケット取付け金具１ｃの下面に重ね合わされており、このソケット取付け金具１ｃ、１ｃは、ランプソケット６、６に隣接した位置にネジ孔（図１では、図示を省略するが、図３等にネジ孔３ｖとして図示する）を有している。
【００１１】
第１の反射板は、光反射部３ａ、３ａを貫通してネジ孔にねじ込まれる取付ネジ５、５を介してシャーシ１に固定されている。この固定により、シャーシ１、端子台及び安定器７が第１の反射板によって下方から覆い隠されている。
第１の照明器具の第１の反射板のシャーシ１への取付けは、図では取付け治具として、取付けネジ５のものしか記載はないが、後述の第２の照明器具等と同様に取付け治具として、クイックラッチを使用してもよい。
【００１２】
第１の照明器具は、最もシンプルな基本的なものであり、広い空間を照明できる。また、安価であり、汎用的に使用される。
【００１３】
次に、図２〜図６に基づいて、２灯逆富士形照明器具の第２の照明器具を説明する。第１の照明器具と同様のものは同じ符号を付け説明を省略し、主として第２の照明器具の特徴点を説明する。第２の照明器具は、第２の反射板を使用する。
図２は、第２の照明器具の外観を示す斜視図であり、図３は、同じく第２の反射板をシャーシに取付ける状態を示す斜視図であり、図４は、同じく第２の反射板の部品構成及び組立を示す斜視図であり、図５は、同じくシャーシに第２の反射板を取付け治具として取付けネジで固定する断面図であり、図５（ａ）は第２の反射板取付け前の図であり、図５（ｂ）は第２の反射板取付け後の図であり、図６は、同じくシャーシに第２の反射板を取付け治具としてクイックラッチで固定する断面図であり、図６（ａ）は第２の反射板取付け前の図であり、図６（ｂ）は第２の反射板取付け後の図である。
【００１４】
これらの図において、第２の照明器具も天井直付けの２灯逆富士形照明器具であり、第２の反射板は全体的に下面が開放した箱型のものである。
第２の反射板は、断面逆富士形の光反射部３ａ、光反射部３ａとほぼ同じ長さで、斜面部と垂直面部とで断面Ｖ字状となる２個の側板部３ｂ、３ｂ、光反射部３ａの両端を閉じる三角形状の端板部３ｍ、第２の反射板の両端を閉じる矩形状の端板部３ｎから構成される。
【００１５】
第２の反射板の組立は次のように行う。
まず、逆富士形の光反射部３ａの両端を三角形状の端板部３ｍで閉じる（カシメ固定）。
次いで、光反射部３ａのＶ字状の斜面部の上端近くに、Ｖ字状の側板部３ｂの斜面部の上端を長手方向を合せて配置し、リベット１０にてリベット止めを行う。もう一方の光反射部３ａのＶ字状の斜面部にも同様に別の側板部３ｂの斜面部を固定する。
【００１６】
このとき、側板部３ｂの直接固定されていない方の垂直面部（外側面部）は、第２の反射板を短手方向から見て、垂直となり、かつ、その上端部は光反射部３ａの固定部より下、またその下端部は光反射部３ａのＶ字状の斜面部の下端の合体部より下となる（図５、６参照）。
その後、２個の側板部３ｂの上記の垂直面部の矩形状の開口部に矩形状の端板部３ｎを合せて閉じる。その際、端板部３ｎは、リベット１０にて、端板部３ｍにリベット止めを行い固定する。このようにして、図３に示すように、矩形形状の端板３ｎと矩形状の垂直面部（外側面部）とにより、下方開放で、外観箱型の第２の反射板が形成される。
【００１７】
このようにして組立てた第２の反射板は、図５に示すように、シャーシ１に取付けられる。
取付け治具が取付けネジ５の場合は、まず、シャーシ１のソケット取付け金具１ｃに取付けられたソケット６を第２の反射板の挿通孔３ｕに通す。次いで、第２の反射板を、ソケット取付け金具１ｃに設けたネジ孔３ｕに取付けネジ５で取付ける。
また、取付け治具がクイックラッチ１２の場合は、図６に示すように、同様にソケット６を反射板３の挿通孔３ｕに通した後、光反射部３ａのＶ字状の斜面部の下端の合体部に設けたクイックラッチ１２とシャーシ１の側壁１ｂ、１ｂ間に設けたクイックラッチ受け部により第２の反射板をシャーシ１に固定するようにする。
【００１８】
第２の照明器具は、天井直付で下面が開放した照明器具であり、空間の質感を高め、照明器具下方の照度を増加できる。
【００１９】
次に、図７〜図９に基づいて、２灯逆富士形照明器具の第３の照明器具を説明する。第１、２の照明器具と同様のものは同じ符号を付け説明を省略し、主として第３の照明器具の特徴点を説明する。第３の照明器具には、第３の反射板を使用する。
図７は、第３の照明器具の第３の反射板をシャーシに取付ける状態を示す斜視図であり、図８は、同じく第３の反射板の部品構成及び組立を示す斜視図であり、図９は、同じくシャーシに第３の反射板を、取付け治具として取付けネジで固定する断面図であり、図９（ａ）は第３の反射板取付け前の図であり、図９（ｂ）は第３の反射板取付け後の図であり、図９（ｃ）は第３の反射板の側板部に設けたスリットを示す図である。
【００２０】
これらの図において、第３の照明器具も天井直付けの２灯逆富士形照明器具であり、第３の反射板は全体的に下面が開放した箱型のものである。
第３の反射板は、断面逆富士形の光反射部３ａと断面Ｖ字状の２個の側板部３ｂ、３ｂとを一体構造とし、また端板部３ｐも第２の照明器具の端板部３ｍと端板部３ｎを一体構造としたものである。
但し、端板部３ｍに該当するものは、光反射部３ａとＶ字状の斜面部と側板部３ｂの直接接続している斜面部の端部を閉じるように、三角形状でなく台形状とする。
【００２１】
第３の照明器具は、図９（ｂ）、（ｃ）に示すように、側板部３ｂ（斜面部）の上部に長手方向に沿ってスリットを設けてもよい。
また、図には示していないが、反射板３のシャーシへの取付けは、取付け治具として図６に示す第２の照明器具と同様にクイックラッチ使用でもよい。（後述の第３、４、５、６の照明器具においても同様とする）
【００２２】
第３の照明器具は、天井直付で下面が開放した照明器具であり、空間の質感を高め、照明器具下方の照度を増加できる。
また、部品点数が少なく、材料節減、組立性向上でき、その分コスト低減できる。
また、第３の反射板の長手方向にスリットを設けたものは、加えて天井面への上方光束が得られる。
【００２３】
次に、図１０に基づいて、２灯逆富士形照明器具の第４の照明器具を説明する。第４の照明器具には、第４の反射板を使用する。第１、２、３の照明器具と同様のものは同じ符号を付け説明を省略し、主として第４の照明器具の特徴点を説明する。
図１０は、第４の照明器具の第４の反射板をシャーシに取付け治具として取付けネジで取付ける断面図であり、図１０（ａ）は第４の反射板取付け前の図であり、図１０（ｂ）は第４の反射板取付け後の図である。
【００２４】
図において、第４の照明器具も天井直付けの２灯逆富士形照明器具であり、第４の反射板は全体的に下面が開放した箱型のものである。
この照明器具の第４の反射板の光反射部３ａのＶ字状の斜面部は、図に示すように下から上に向かって、途中で外側に広がるように屈曲する。これにより、照明器具短手方向の遮光角を１５度とする。
この照明器具も、第４の反射板の長手方向にスリットを設けてもよい。
【００２５】
第４の照明器具は、天井直付で下面が開放した照明器具であり、空間の質感を高め、照明器具下方の照度を増加できる。特に、照明器具短手方向の遮光角１５度を有することで、第１、２、３の照明器具に比べて通常の視野の中に直接光が入り込まないので、照明器具の短手方向の不快なまぶしさをカットしている。
また、第４の反射板の長手方向にスリットを設けたものは、加えて天井面への上方光束が得られる。
【００２６】
次に、図１１に基づいて、２灯逆富士形照明器具の第５の照明器具を説明する。第５の照明器具には、第５の反射板を使用する。第１、２、３、４の照明器具と同様のものは同じ符号を付け説明を省略し、主として第５の照明器具の特徴点を説明する。
図１１は、第５の照明器具の第５の反射板を、取付け治具として取付けネジでシャーシに取付ける断面図であり、図１１（ａ）は第５の反射板取付け前の図であり、図１１（ｂ）は第５の反射板取付け後の図である。
【００２７】
図において、第５の照明器具も天井直付けの２灯逆富士形照明器具であり、第５の反射板は全体的に下面が開放した箱型のものである。
この照明器具の第５の反射板の光反射部３ａのＶ字状の斜面部は、図に示すように下部の合体部を平板状とする。そして、この平板部にルーバ保持バネ９を設け、ルーバ８に設けた引掛け部８ａを引掛け、ルーバ８を取付ける。これにより、照明器具の長手方向の遮光角１５度を確保する。
また、照明器具短手方向の遮光角１５度を有する。
この照明器具も、第５の反射板の長手方向にスリットを設けてもよい。
【００２８】
第５の照明器具は、天井直付下面が開放した照明器具であり、空間の質感を高め、照明器具下方の照度を増加できる。特に、器具短手方向及び長手方向の遮光角１５度を有することで、第１、２、３の照明器具に比べ通常の視野の中に直接光が入り込まないので、照明器具の短手方向及び長手方向の不快なまぶしさをカットしている。
また、第５の反射板の長手方向にスリットを設けたものは、加えて天井面への上方光束が得られる。
【００２９】
次に、図１２に基づいて、２灯逆富士形照明器具の第６の照明器具を説明する。第６の照明器具には、第６の反射板を使用する。第１、２、３、４、５の照明器具と同様のものは同じ符号を付け説明を省略し、主として第６の照明器具の特徴点を説明する。
図１２は、第６の照明器具の第６の反射板を、取付け治具として取付けネジでシャーシに取付ける断面図であり、図１２（ａ）は第６の反射板取付け前の図であり、図１２（ｂ）は第６の反射板取付け後の図である。
【００３０】
図において、第６の照明器具も天井直付けの２灯逆富士形照明器具であり、第６の反射板は全体的に下面が開放した箱型のものである。
この照明器具は、第６の反射板の側板部３ｂのＶ字状の斜面部のうち、光反射部３ａに直接接続していない方の垂直面部（外側面部）の高さを天井２に合せ、天井２と照明器具との隙間をなくしたものである。端板３ｑもこれに合せる。
【００３１】
第６の照明器具は、天井直付下面が開放した照明器具であり、空間の質感を高め、照明器具下方の照度を増加できる。
この照明器具は、天井面への上方光束は得られない。
【００３２】
次に、反射板を第１〜第６の反射板のうちで、交換することにより、上記の第１〜第６の照明器具を形成することについて説明する。
上記の第１〜第６の反射板は、共通のシャーシ１に交換取付け可能である。
そのために、各反射板の光反射部３ａの断面Ｖ字状の斜面部のなす角度（傾斜角度）は、少なくともシャーシ１のソケット取付け金具１ｃに取付ける部分においては、シャーシ１のソケット取付け金具１ｃの傾斜角度と同じである。
また、取付け治具として取付ネジ５使用の場合は、各反射板のネジ孔３ｖの長手方向のピッチ及び短手方向のピッチは同じであり、かつ、シャーシ１のソケット取付け金具１ｃの孔ピッチと同じである。
また、取付け治具としてクイックラッチ１２使用の場合は、反射板のクイックラッチ１２の長手方向のピッチは同じであり、かつ、シャーシ１のクイックラッチ受け部のピッチと同じである。
【００３３】
そこで、第１〜第６の反射板は、シャーシ取付け治具の種類が同じもの同士は、共通のシャーシ１に取付け可能となる。即ち、反射板の交換は、反射板が取付けられた照明器具から、蛍光ランプを外し、取付けネジ５又はクイックラッチ１２を外し、既設の反射板を取り外し、新規の反射板を同様に取付けることで行われる。
【００３４】
本実施の形態の照明器具は、端子台１１、安定器７、ソケット６を有する既設のシャーシ１に新規の反射板を取付けた２灯逆富士形照明器具であって、新規の反射板は、既設の反射板と配光特性等の反射板仕様の異なるものであり、また、新規の反射板は既設の反射板と、シャーシ取付け部の逆富士部分の角度、シャーシ取付け治具の種類（即ち、ネジ止め、クイックラッチ止め等）及び取付治具の取付け位置ピッチにおいて一致するものであり、取付治具により既設のシャーシ１に取付けられるので、既設の照明器具を反射板のみを交換することにより、配光特性等の器具特性を変えることができる。しかも、交換作業時間は短くでき、費用も安く、廃材も削減できる。
【００３５】
また、端子台１１、安定器７、ソケット６を有するシャーシ１に反射板を取付ける２灯逆富士形照明器具であって、反射板として、配光特性等の反射板仕様は異なるが、シャーシ取付け部の逆富士部分の角度、シャーシ取付け治具の種類及び取付治具の取付け位置ピッチにおいて一致する少なくとも２個の反射板を備え、要求配光特性等によりシャーシを共通として、選択取付け可能であるので、反射板を交換するだけで、要求配光特性に応じた照明器具を提供できる。しかも、交換作業時間は短くでき、費用も安く、廃材も削減できる。
【００３６】
また、交換する新規の反射板を、第１の反射板、第２の反射板、第３の反射板、第４の反射板、第５の反射板及び第６の反射板のいずれかとしたので、それぞれの使用反射板の配光特性を有する照明器具が得られる。
【００３７】
また、共通シャーシ１に取付ける反射板を、第１の反射板、第２の反射板、第３の反射板、第４の反射板、第５の反射板及び第６の反射板のいずれか２個以上としたので、反射板を選択して、要求配光特性等に応じた照明器具を得ることができる。
【００３８】
【発明の効果】
以上のように、本発明による照明器具は、端子台、安定器、ソケットを有する既設のシャーシに新規の反射板を取付けた２灯逆富士形照明器具であって、新規の反射板は、既設の反射板と配光特性等の反射板仕様の異なるものであり、また、新規の反射板は既設の反射板と、シャーシ取付け部の逆富士部分の角度、シャーシ取付け治具の種類及び取付治具の取付け位置ピッチにおいて一致するものであり、取付治具により既設のシャーシに取付けられるので、反射板を替えるだけで、配光特性等を容易に変更できる照明器具が提供できる。
【図面の簡単な説明】
【図１】本発明の実施の形態１による第１の照明器具を示す断面図である。
【図２】本発明の実施の形態１による第２の照明器具の外観を示す斜視図である。
【図３】本発明の実施の形態１による第２の照明器具の第２の反射板をシャーシに取付ける状態を示す斜視図である。
【図４】本発明の実施の形態１による第２の照明器具の第２の反射板の部品構成を示す斜視図である。
【図５】本発明の実施の形態１による第２の照明器具の第２の反射板をシャーシに固定する断面図である（ネジ止め）。
【図６】本発明の実施の形態１による第２の照明器具の第２の反射板をシャーシに固定する断面図である（クイックラッチ止め）。
【図７】本発明の実施の形態１による第３の照明器具の第３の反射板をシャーシに取付ける状態を示す斜視図である。
【図８】本発明の実施の形態１による第３の照明器具の第３の反射板の部品構成を示す斜視図である。
【図９】本発明の実施の形態１による第３の照明器具の第３の反射板をシャーシに固定する断面図である（ネジ止め）。
【図１０】本発明の実施の形態１による第４の照明器具の第４の反射板をシャーシに固定する断面図である（ネジ止め）。
【図１１】本発明の実施の形態１による第５の照明器具の第５の反射板をシャーシに固定する断面図である（ネジ止め）。
【図１２】本発明の実施の形態１による第６の照明器具の第６の反射板をシャーシに固定する断面図である（ネジ止め）。
【符号の説明】
１  シャーシ、５  取付け治具、６  ソケット、７  安定器、１１  端子台、１２  取付け治具。
【図１】
2004303451.tif 000003
【図２】
2004303451.tif 000004
【図３】
2004303451.tif 000005
【図４】
2004303451.tif 000006
【図５】
2004303451.tif 000007
【図６】
2004303451.tif 000008
【図７】
2004303451.tif 000009
【図８】
2004303451.tif 000010
【図９】
2004303451.tif 000011
【図１０】
2004303451.tif 000012
【図１１】
2004303451.tif 000013
【図１２】
2004303451.tif 000014